(57)【要約】【課題】簡便な方法により、照明カバーの美観を長期にわたって維持することが可能なエレベータかご室の天井照明装置を提供する。【解決手段】かご室天井照明装置１０は、主に天井裏２２に設置され、照明器具１７と、照明器具１７を覆う照明カバー１９と、照明カバー１９を開閉する機能を有する駆動アクチュエータ２３と、開放された照明カバー１９に対して振動を与える機能を有するバイブレータ２４と、開放された照明カバー１９に対して換気扇の風を吹付ける機能を有する風向調整板２５を主要構成要素として構成される。【選択図】図２
2009161323.tif 000002
【特許請求の範囲】
【請求項１】
エレベータかご室の天井に設けられる天井照明器具と、天井照明器具を覆う照明カバーと、を含むエレベータかご室の天井照明装置であって、
照明カバーをかご室床方向に開閉させる駆動アクチュエータを有することを特徴とするエレベータかご室の天井照明装置。
【請求項２】
請求項1に記載のエレベータかご室の天井照明装置であって、
開放された照明カバーに対して振動を与えるバイブレータを有することを特徴とするエレベータかご室の天井照明装置。
【請求項３】
請求項1又は２に記載のエレベータかご室の天井照明装置であって、
開放された照明カバーに対してかご室換気扇の風を吹付ける手段を有することを特徴とするエレベータかご室の天井照明装置。
【発明の詳細な説明】
【技術分野】
【０００１】
本発明は、エレベータかご室の天井照明装置、特に簡便な方法により照明カバーの清掃が可能であるエレベータかご室の天井照明装置に関する。
【背景技術】
【０００２】
エレベータかご室の天井照明器具の多くには照明カバーが取り付けられているが、照明器具の明かりに虫が引きつけられ、照明カバー内に虫の死骸などが堆積する状況が良く見受けられる。このような状況は、照明カバーの美観が損なわれ、見る者に不快感を与えることになるが、照明カバーの清掃作業は、専門業者が脚立に登り手作業にて照明カバーを取り外して行われる高所作業であるため、簡単には行うことができない。
【０００３】
このような状況に鑑みて、幾つかの装置が提案されている。例えば、特許文献1には、照明装置と照明カバーとの間に虫受け部材を設けた装置が開示されている。特許文献２には、照明カバーの内面に接触するブラシと、舞い上がったほこりを吸引する吸引器と、このブラシを水平方向へ移動する駆動装置とを備えたエレベータかご内照明装置の自動清掃装置が開示されている。
【０００４】
【特許文献１】特開２００２-８７７３９号公報
【特許文献２】特開２００４-３５２４００号公報
【発明の開示】
【発明が解決しようとする課題】
【０００５】
しかしながら、特許文献１に開示された装置は、虫の死骸を隠すものであるため、定期的に虫受け部材を清掃する必要がある。特許文献２に開示された装置についても、定期的にブラシや吸引器の清掃が必要であるし、装置が大掛かりであるため、メンテナンスが煩雑である。上記のように、従来技術によれば、清掃作業の頻度を下げることはできるが、専門業者による高所作業が不可欠であるため、簡便な方法により、照明カバーの美観を長期にわたって維持することは困難である。
【０００６】
本発明の目的は、簡便な方法により、照明カバーの美観を長期にわたって維持することが可能なエレベータかご室の天井照明装置を提供することである。
【課題を解決するための手段】
【０００７】
本発明に係るエレベータかご室の天井照明装置は、エレベータかご室の天井に設けられる天井照明器具と、天井照明器具を覆う照明カバーと、を含むエレベータかご室の天井照明装置であって、照明カバーをかご室床方向に開閉させる駆動アクチュエータを有することを特徴とする。
【０００８】
また、本発明に係るエレベータかご室の天井照明装置は、開放された照明カバーに対して振動を与えるバイブレータを有することが好ましい。
【０００９】
また、本発明に係るエレベータかご室の天井照明装置は、開放された照明カバーに対してかご室換気扇の風を吹付ける手段を有することが好ましい。
【発明の効果】
【００１０】
本発明に係るエレベータかご室の天井照明装置は、照明カバーをかご室床方向に開閉させる駆動アクチュエータを有するので、照明カバーを自動で開閉することが可能となる。従って、照明カバーの清掃作業において、専門業者が脚立に登り手作業にて照明カバーを取り外す必要がない。照明カバー内に堆積する虫の死骸等の堆積物は、開放された照明カバーの傾斜に沿って或いは直接、かご室床に落下するので、かご室床を清掃するだけで照明カバー内の清掃作業が完了する。
【００１１】
また、本発明に係るエレベータかご室の天井照明装置は、開放された照明カバーに対して振動を与えるバイブレータを有するので、照明カバー内の堆積物が照明カバーを開放しただけでは落下しない場合等に、バイブレータを作動させることにより、照明カバー内の堆積物がさらに落下し易くなる。
【００１２】
また、本発明に係るエレベータかご室の天井照明装置は、開放された照明カバーに対してかご室換気扇の風を吹付ける手段を有するので、バイブレータを作動させる場合と同様に、照明カバー内の堆積物がさらに落下し易くなる。
【００１３】
以上のように、本発明に係るエレベータかご室の天井照明装置によれば、簡便な方法により、照明カバーの美観を長期にわたって維持することが可能となる。また、ビルオーナーなどエレベータに関して専門知識を有さない者であっても、照明カバーの清掃作業を行うことができる。
【発明を実施するための最良の形態】
【００１４】
以下に図面を用いて本発明に係る実施の形態につき、詳細に説明する。
【００１５】
図1は、エレベータかご室の天井照明装置１０（以下、かご室天井照明装置１０とする）が適用されるエレベータかご室１１（以下、かご室１１とする）の全体構成を示す斜視図である。図２は、図１の要部側面図であり、図３は、図２の要部側面図において照明カバーが閉じられた状態を示す図である。
【００１６】
図１に示すように、かご室１１は、かご室床１２と、かご室天井１３と、四面のかご室側壁１４からなる立方体構造であり、かご室側壁１４の一つ面には、かご室ドア１５及びかご室内操作盤１６が設けられている。かご室内操作盤１６には、かご呼び登録やかご室ドア１５の開閉を操作する釦などが設置されている。かご室天井１３には、照明器具１７と換気扇２０とが設置されており、照明器具１７の下方には、照明カバー支え板１８と照明カバー支え板１８に支持される照明カバー１９とが設けられている。照明カバー支え板１８及び照明カバー１９は、かご室天井１３とかご室ドア１５の上部との間に、かご室天井１３に対して水平な状態で設けられている。照明カバー支え板１８からかご室床１２までの空間が、乗客が乗り込む居住空間２１であって、かご室天井１３から照明カバー支え板１８までの空間である天井裏２２は、居住空間２１からは見えない様になっている。かご室換気扇２０は、かご室天井１３を貫通するように設けられ、かご室１１の外部から外気を居住空間２１に導入する機能を有する。
【００１７】
かご室天井照明装置１０は、主に天井裏２２に設置され、照明器具１７と、照明器具１７を覆う照明カバー１９と、照明カバー１９を開閉する機能を有する駆動アクチュエータ２３と、開放された照明カバー１９に対して振動を与える機能を有するバイブレータ２４と、開放された照明カバー１９に対して換気扇の風を吹付ける機能を有する風向調整板２５を主要構成要素として構成される。
【００１８】
照明器具１７は、所謂、照明灯であって、専ら蛍光灯が使用される。なお、照明器具１７の種類、個数及び天井裏における設置場所などは特に制限されない。
【００１９】
照明カバー１９は、かご室天井１３、特に照明器具１７が居住空間２１から見えないようにして、かご室天井１３を装飾する役割とともに、照明器具１７からの明かりを居住空間２１に透過させる役割を有する。
【００２０】
照明カバー１９は、照明カバー支え板１８に支持される。照明カバー１９は、後述する駆動アクチュエータ２３に接続され、駆動アクチュエータ２３の作動により開閉するため、駆動アクチュエータ２３を介して照明カバー支え板１８に設置されている。
【００２１】
照明カバー支え板１８及び照明カバー１９は、上記のように、かご室天井１３とかご室ドア１５の上部との間に、かご室天井１３に対して水平な状態で設けられている。照明カバー支え板１８は、天井板とも称され、照明カバー１９を支えるとともに、照明カバー１９と同様に、かご室天井１３が居住空間２１から見えないようにして、かご室天井１３を装飾する役割を有している。したがって、照明カバー支え板１８としては、鋼板塗装されたアクリル樹脂等の樹脂板やステンレス板に装飾を施したものが使用される。照明カバー１９は、照明器具１７からの明かりを居住空間２１に透過させる必要があるため、主に乳白色で透光性のあるアクリル樹脂等の樹脂板が使用される。
【００２２】
図１に示す照明カバー１９の形状は、かご室ドア１５方向に短辺を向けた矩形形状からなり、端部に傾斜壁部２６を有している。矩形の短辺における傾斜壁部２６は、照明カバー１９の平面部２７に対して外側に傾斜した形状をなしている。これは、照明カバー１９がかご室床１２の方向に開放された場合に、照明カバー１９内の堆積物が滑り落ち易くするためである。また、照明カバー１９の根元部には、後述する駆動アクチュエータ２３と接続される駆動アクチュエータ接続部２８が設けられている。なお、図１においては矩形形状の照明カバー１９を示すが、照明カバー１９の形状は、矩形に限定されるものではなく、六角形形状や円形形状などを採用することができる。
【００２３】
駆動アクチュエータ２３は、照明カバー１９をかご室床１２の方向に開閉させる機能を有する装置である。駆動アクチュエータ２３としては、電動アクチュエータや油空圧アクチュエータなどを使用することができる。以下では、駆動アクチュエータ２３は回転式電動モータとして説明する。
【００２４】
駆動アクチュエータ２３は、照明カバー支え板１８上のかご室天井１３側に２個設置される。２個の駆動アクチュエータ２３は、照明カバー開口２９をはさんで照明カバー１９の根元部の両側に設けられ、それぞれが２箇所の照明カバー１９の駆動アクチュエータ接続部２８に接続される。駆動アクチュエータ２３からは、図示しない駆動軸が出ており、駆動軸には図示しない駆動ギアが設けられている。他方、駆動アクチュエータ接続部２８には、受動ギア３０が設けられている。駆動ギアと受動ギア３０とは噛合するように設置され、駆動アクチュエータ２３の回転駆動力が受動ギア３０に伝わるようになっている。駆動アクチュエータ２３には、照明カバー１９の開閉を操作する照明カバー開閉スイッチ３１に繋がる配線も接続され、照明カバー開閉スイッチ３１のＯＮ／ＯＦＦ操作と連動して駆動アクチュエータ２３を作動させる電気回路等が備わっている。なお、照明カバー開閉スイッチ３１は、かご室内操作盤１６の鍵付きスライドケース内に設置される。
【００２５】
上記では、駆動アクチュエータ２３は照明カバー支え板１８のかご室天井１３側に設置されるとして説明したが、駆動アクチュエータ２３はかご室天井１３やかご室側壁１４に設置されてもよい。その場合、駆動アクチュエータ接続部２８との距離が遠いため、駆動アームやベルトなどを使用することができる。
【００２６】
バイブレータ２４は、駆動アクチュエータ２３により自動開放された照明カバー１９に対して振動を与える機能を有する装置である。バイブレータ２４の作動方式としては、モータの軸に重心を偏らせた錘を取り付け回転させることで振動を生む回転方式とピストンを往復運動させることで振動を生むピストン方式とが挙げられるが、特に限定されず、いずれの方式のバイブレータも使用することができる。
【００２７】
バイブレータ２４は、照明カバー支え板１８上のかご室天井１３側に２個設置される。２個のバイブレータ２４は、照明カバー開口２９をはさんで両側に設けられる。バイブレータ２４には、バイブレータ２４の作動により発生した振動を照明カバー１９に伝導する機能を有する伝導アーム３２が連結される。伝導アーム３２は、照明カバー１９の傾斜壁部２６に繋がっており、バイブレータ２４は伝導アーム３２を介して照明カバー１９に接続されている。バイブレータ２４には、駆動アクチュエータ２３と同様に、バイブレータ作動スイッチ３３のＯＮ／ＯＦＦ操作と連動して作動する。なお、バイブレータの作動スイッチ３３は、かご室内操作盤１６の鍵付きスライドケース内に設置される。
【００２８】
上記では、バイブレータ２４は、照明カバー支え板１８のかご室天井１３側に設置されるとして説明したが、バイブレータ２４は照明カバー１９に直接設置されてもよい。照明カバー１９に直接設置される場合には、照明カバーの端部に設置する或いは小型のバイブレータ２４を用いるなどして、バイブレータ２４を目立たなくすることが好ましい。なお、照明カバー１９に直接設置される場合には、伝導アーム３２は不要となる。
【００２９】
かご室天井１３には、上記のように、かご室換気扇２０が設置されている。図２及び図３には、通常のかご室換気扇２０の運転状態を示しており、かご室換気扇２０から取り込まれた外気は、風向調整板２５に沿って、照明カバー支え板１８に設けられる通気口３４から居住空間２１に送られる。なお、排気口は図示しないかご室１１下部のキックプレートとかご室ドア１５の袖壁との間に設けられる。
【００３０】
風向調整板２５は、かご室換気扇２０の風向きを変える機能を有する装置であり、風向調整板２５は図示しない風向調整板モータによって風向きが調整されている。風向調整板２５の向きを変更することにより照明カバー開口２９の方向に風向きを変更することが可能である。風向調整板モータは、駆動アクチュエータ２３と同様に、風向調整スイッチ３５のＯＮ／ＯＦＦ操作と連動して作動する。なお、風向調整スイッチ３５は、かご室内操作盤１６の鍵付きスライドケース内に設置される。
【００３１】
かご室換気扇２０のプロペラファンモータは、風向調整スイッチ３５のＯＮ操作と連動して、プロペラファンモータの回転数を上昇させる電気回路等を備えている。
【００３２】
上記構成のかご室天井照明装置１０の作用、特に照明カバー１９の清掃方法について図4のフローチャートを用いて以下詳細に説明する。図４は照明カバー１９の清掃作業の手順を示すフローチャートである。
【００３３】
ビル管理人などが照明カバー１９内に虫の死骸等の堆積物を発見した場合、かご室内操作盤１６の鍵付きスライドケース内に設置された照明カバー開閉スイッチ３１をＯＮ操作することにより、照明カバー１９をかご室床１２方向に対して自動で開放させる（Ｓ１０）。照明カバー開閉スイッチ３１は、駆動アクチュエータ２３に配線接続されており、ＯＮ操作の信号が駆動アクチュエータ２３に伝わると、駆動アクチュエータ２３が作動する。駆動アクチュエータ２３の駆動軸が回転すると、駆動ギアも回転し、駆動ギアと噛合する受動ギア３０に回転駆動力が伝わり、受動ギア３０に繋がった照明カバー１９の開放が開始されることになる。
【００３４】
照明カバー１９は、図２に示すＡ地点で開放を停止する。Ａ地点に到達すると、電気回路が切断され、駆動アクチュエータ２３の作動が停止する。Ａ地点において、照明カバー１９の傾斜壁部２６は、図２に示すように、下を向き、照明カバー１９内の堆積物は、照明カバー１９の傾斜に沿って或いは直接、かご室床１２に落下する。したがって、清掃作業者はかご室床１２を清掃するだけでよく、脚立に登って手作業にて照明カバー１９を取り外す必要がない。照明カバー１９を開放しただけでは、照明カバー１９内の堆積物が十分に落下しない場合があるので、その場合には、モップ等で照明カバー１９の内壁面を清掃することが可能である。また、堆積物が落下し易いように照明カバー１９に離形剤を塗布する等表面処理を行ってもよい。なお、照明カバー１９内の堆積物が除去できたか否かは、清掃作業者の目視により判断され、除去できていないと判断した場合には、開放された照明カバーに対して、後述するバイブレータにより振動を与える操作（Ｓ１１）や換気扇の風を吹付ける操作（Ｓ１２）を行う。
【００３５】
バイブレータ２４を作動させて、開放された照明カバー１９に対して振動を与えることにより、モップ等を使用しなくても、照明カバー１９内の堆積物を効率よく落下させることができる（Ｓ１１）。開放された照明カバー１９に対して、バイブレータにより振動を与える様子を図５に示す。具体的な操作としては、かご室内操作盤１６の鍵付きスライドケース内に設置されたバイブレータ作動スイッチ３３をＯＮ操作するだけである。バイブレータ作動スイッチ３３は、バイブレータ２４に配線接続されており、ＯＮ操作の信号がバイブレータ２４に伝わると、バイブレータ２４の作動が開始され、バイブレータ２４の振動は伝導アーム３２に伝わる。伝導アーム３２は照明カバー１９の傾斜壁部２６に接続されているので、照明カバー１９に対して振動が与えられることになる。
【００３６】
照明カバー１９が振動することにより、照明カバー１９内の堆積物は、照明カバー１９の傾斜に沿って或いは直接、かご室床１２に落下する。したがって、清掃作業者はかご室床１２を清掃するだけでよく、脚立に登って手作業にて照明カバー１９を取り外す必要がない。なお、バイブレータ２４の作動を停止させるには、バイブレータ作動スイッチ３３をＯＦＦ操作することにより行う。
【００３７】
Ｓ１１の操作においても照明カバー２９内の堆積物が除去し切れない場合には、風向調整板２５を照明カバー開口１９の方向に切り替えて、かご室換気扇２０の風を開放された照明カバー１９に対して吹付けることにより、照明カバー１９内の堆積物を効率よく落下させることができる（Ｓ１２）。この操作は、バイブレータ２４による振動操作に加えて或いは独立して行うことが可能である。開放された照明カバー１９に対して、かご室換気扇の風を吹付ける様子を図６に示す。具体的な操作としては、かご室内操作盤１６の鍵付きスライドケース内に設置された風向調整スイッチ３５をＯＮ操作するだけである。風向調整スイッチ３５は、風向調整板２５の風向調整板モータに配線接続されており、ＯＮ操作の信号が風向調整板モータに伝わると、風向調整板モータの作動が開始され、風向調整板２５の向きが照明カバー開口２９の方向に切り替わる。それと同時に、かご室換気扇２０のプロペラファンモータにもＯＮ操作の信号が伝わり、プロペラファンモータの回転数が増加する。かご室換気扇２０から導入される外気風は、その風量を増加させて開放された照明カバー１９に吹付けられる。
【００３８】
照明カバー１９にかご室換気扇２０の風が吹付けられることにより、照明カバー１９内の堆積物は、照明カバー１９の傾斜に沿って或いは直接、かご室床１２に落下する。したがって、清掃作業者はかご室床１２を清掃するだけでよく、脚立に登って手作業にて照明カバー１９を取り外す必要がない。なお、かご室換気扇の風向及び風量を通常運転状態に戻すには、風向調整スイッチ３５をＯＦＦ操作することにより行う。
【００３９】
Ｓ１２の操作により、照明カバー１９内の堆積物が除去できた場合には、照明カバー開閉スイッチ３１をＯＦＦ操作して照明カバー１９を閉じることにより清掃作業を終了する（Ｓ１３）。一方、Ｓ１２の操作により、照明カバー１９内の堆積物が除去し切れない場合には、Ｓ１１の操作又はＳ１２の操作を繰り返すことにより、照明カバー１９の清掃を行う。照明カバー開閉スイッチ３１は、駆動アクチュエータ２３に配線接続されており、ＯＦＦ操作の信号が駆動アクチュエータ２３に伝わると、駆動アクチュエータ２３が作動する。なお、駆動アクチュエータ２３の回転方向は、照明カバー１９の開放時とは逆となる。閉鎖完了すると、電気回路が切断され、駆動アクチュエータ２３の作動が停止する。
【００４０】
図７は、照明カバー開閉スイッチ３１及びバイブレータ作動スイッチ３３を一つにまとめた三点操作スイッチ３６の配置を示す図であり、エレベータ乗場からエレベータを見た様子を示している。図７において、３７は乗場ドア、３８はインジケータ付き乗場押し釦、３９は三方枠である。三点操作スイッチ３６は、エレベータ乗場に設置される乗場休止スイッチ４０の下に設置されるので、照明カバー１９内の堆積物が多い場合等には、三点操作スイッチ３６にてかご室１１の外部から操作することにより、清掃作業者が堆積物をかぶらない等のメリットがある。三点操作スイッチ３６は、かご室操作盤内１６に設置される照明カバー開閉スイッチ３１及びバイブレータ作動スイッチ３３と併設することができる。また、風向調整スイッチ３５も加えて、四点操作スイッチとすることもできる。
【００４１】
図８は、三点操作スイッチ３６の操作態様を示す図である。三点操作スイッチ３６は、乗場休止スイッチ４０と同一の専用鍵にて操作される。図８（ａ）の状態では、駆動アクチュエータ２３及びバイブレータ２４は停止状態であり、専用鍵を差し込んで右に回し図８（ｂ）の状態にすれば、駆動アクチュエータ２３の作動が開始されて、照明カバー１９がかご室床１２方向に開放される。さらに右に回し図８（ｃ）の状態にすれば、バイブレータ２４の作動が開始されて、開放された照明カバー１９に対して振動が与えられる。逆に左に回してゆけば、バイブレータ２４の作動が停止し、次いで、駆動アクチュエータ２３が開放時とは逆に回転して、照明カバー１９が閉じられる。
【図面の簡単な説明】
【００４２】
【図１】本発明に係る実施の形態におけるエレベータかご室の天井照明装置が適用されるエレベータかご室の全体構成を示す斜視図である。
【図２】図１の要部側面図である。
【図３】図２の要部側面図において照明カバーが閉じられた状態を示す図である。
【図４】本発明に係る実施の形態における照明カバーの清掃作業のフローチャートである。
【図５】本発明に係る実施の形態における開放された照明カバーに対してバイブレータにより振動を与える様子を示す図である。
【図６】本発明に係る実施の形態における開放された照明カバーに対してかご室換気扇の風を吹付ける様子を示す図である。
【図７】本発明に係る実施の形態における三点スイッチの配置を示す図である。
【図８】本発明に係る実施の形態における三点スイッチの操作態様を示す図である。
【符号の説明】
【００４３】
１０  エレベータかご室の天井照明装置、１１  エレベータかご室、１２  かご室床、１３  かご室天井、１４  かご室側壁、１５  かご室ドア、１６  かご室内操作盤、１７  照明器具、１８  照明カバー支え板、１９  照明カバー、２０  かご室換気扇、２１  居住空間、２２  天井裏、２３  駆動アクチュエータ、２４  バイブレータ、２５  風向調整板、２６  傾斜壁部、２７  平面部、２８  駆動アクチュエータ接続部、２９  照明カバー開口、３０  受動ギア、３１  照明カバー開閉スイッチ、３２  伝導アーム、３３  バイブレータ作動スイッチ、３４  通気口、３５  風向調整スイッチ、３６  三点操作スイッチ、３７  乗場ドア、３８  インジケータ付き乗場押し釦、３９  三方枠、４０  乗場休止スイッチ。
【図１】
2009161323.tif 000003
【図２】
2009161323.tif 000004
【図３】
2009161323.tif 000005
【図４】
2009161323.tif 000006
【図５】
2009161323.tif 000007
【図６】
2009161323.tif 000008
【図７】
2009161323.tif 000009
【図８】
2009161323.tif 000010